(57)【要約】      （修正有）【課題】温風及び加熱循環液の熱源による建物の屋根を加温し建物内の暖房と屋根融雪システムとなる温熱供給装置。【解決手段】暖房器具に装置を設ける事により、暖房器具の熱源を活用しトーブ上部に溜め熱源を吸引する装置の基部を装着し、形成された熱交換パイプが配置され加温加熱され、ダクトが配備され、ダクトに配管パイプが挿入され、配管パイプと温風を送るダクトによって屋根を温め、降る雪を溶かし屋根の雪下ろしの労力を強いられる事が緩和される。【選択図】図１
0003102284.tif 000002
【実用新案登録請求の範囲】
【請求項１】
ストーブの放熱板上部に集熱容器を配置し、該集熱容器内に、熱媒体としての液体を加熱するための蛇行状、コイル状、あるいは円錐状の熱交換パイプを有する熱交換部を形成し、該熱交換パイプに加熱された液体を輸送する配管を接続せしめ、該配管を、前記集熱容器の上方に立設し、建物の屋根裏通気層部において一端が開放するダクト内に配備するとともに、前記配管を、前記ダクトの解放口から延長して各部屋等の要所を巡らして適宜位置に設ける輸送用ポンプを介して液体補充タンクに帰還させ、該液体補充タンクに前記熱交換パイプが接続して成る、温風及び加熱循環液の熱源をストーブの放熱板から得る事の出来る温熱供給装置。
【考案の詳細な説明】
【技術分野】
【０００１】
本考案はストーブに熱源を集め交換器を装着し温風と温液体を給送循環する構造の温熱供給装置に関するものである。
【背景技術】
【０００２】
従来の公開されている家庭用暖房ストーブの熱源の利用用途において、特開平１１−１５９８８２の形態の説明によれば、床暖房型、温水交換機内蔵型ストーブは燃焼ユニットとこの燃焼ユニットからの燃焼排ガスで加熱さでる温水暖房用の熱交換パイプを内部に有する温水熱交換器と、この温水熱交換器でつくられた温水を溜める水タンクと、暖房用温水を補助的に加熱する加熱ヒータを備え、前記加熱ヒータは水タンク内の温水を加熱するようにしている。
床暖房器の簡略図は図１〜図１０に記載されている。
特開平１１−１２５０２９の形態の説明によれば、垂木の屋根板の取り付け面にダクトを蛇行状に取り付け、その上部に防水シートを貼り且つその上をカラートタンをもって屋根を葺く、蛇行状に設けたダクトの上方部には吸引扇を取り付け、そして、そのダクトの下方屋根先近くの辺には、反射形ストーブの熱風口に設けたダクトを接続し、又その接続部に熱風自動調節弁を設ける。
屋根温風融雪工法の簡略図は図１、図２に記載されている。
【特許文献１】特開平１１−１５９８８２、
【特許文献２】特開平１１−１２５０２９、
【考案の開示】
【考案が解決しようとする課題】
【０００３】
上記に記載した従来の家庭用暖房器は、特開平１１−１５９８８２の温水交換機内蔵型ストーブの利用用途において、この燃焼ユニットからの燃焼排ガスで加熱さでる温水暖房用の熱交換パイプを内部に有する温水熱交換器は床暖房型であり記載されている説明によると建物内の暖房と屋根の融雪をするシステムは構造上困難を有する。
特開平１１−１２５０２９の家庭用暖房器利用用途において、ストーブにダクトを装着し吸引扇を取り付け、垂木の屋根板の取り付け面にダクトを蛇行状に取り付け、その上部に防水シートを貼り且つその上をカラートタンをもって屋根を葺く、蛇行状に設けたダクトの上方部には吸引扇を取り付ける、との使用状況であるが、屋根先近くの域に行き届くまでには温風が冷えてしまう恐れが有る、上記の問題点を解決する事の出来る温熱供給装置を提供すること。
【課題を解決するための手段】
【０００４】
本考案は熱源を温風と温液体をコントロールし効率的に活用する装置であり、ストーブの放熱板上部に集熱容器を配置し、該集熱容器内に、熱媒体としての液体を加熱するための蛇行状、コイル状あるいは円錐状の熱交換パイプを有する熱交換部を形成し、該熱交換パイプに加熱された液体を輸送する配管を接続せしめ、該配管を、前記集熱容器の上方に立設し、建物屋根裏通気層部において一端が開放するダクト内に配備するとともに、前記配管を前記ダクトの解放口から延長して各部屋等の要所を巡らして適宜位置に設ける輸送用ポンプを介して帰還させ液体補充タンクに戻る。
【０００５】
前記ダクトにより送られた温風は建物屋根裏通気層部においてダクト内に配備する配送扇によって送風され、屋根裏通気層部に送風されて、排出口によって排出され建物の屋根を加温し建物の屋根融雪システムと成る。
【考案の効果】
【０００６】
上述した本考案の説明の請求項１に示すように、媒体液と成る液体を加熱する為の集熱容器を設け、前記集熱容器の内部構造は前記液体を加熱する為の熱交換パイプを蛇行形状又は円筒形コイル形状又は円錐形コイル形状に形成し、形成された熱交換パイプに該液体を輸送する配管パイプを接合せしめ、前記配管パイプを配管するためのダクトが配備され該配管パイプが挿入され、建物側壁内側に配置され前記建物側壁内側と部屋外壁との隙間に通気層を設け前記ダクトの内側に収まっている該配管パイプによって液体が供給され循環し先端まで配送し返送され液体は液体補充タンクに戻り又温風は通気層の間隙部に配送扇によって屋根裏通気層部に送風され、排出口によって排出され建物の屋根を加温し建物内の暖房と屋根の融雪システムと成る温熱供給装置。
【考案を実施するための最良の形態】
【０００７】
液体を加熱する為の集熱容器を設け、該集熱容器の内部構造は該液体を加熱する為の熱交換パイプを蛇行状、コイル状あるいは円錐状に形成し、形成された熱交換パイプに液体を輸送する配管パイプを接合せしめ、該配管パイプを配管するためのダクトが配備され該配管パイプが挿入され、建物側壁内側に配置され前記建物側壁内側と部屋外壁との隙間に通気層を設け、前記ダクトの内側に収まっている該配管パイプによって液体が供給され循環し先端まで配送し返送され液体補充タンクに戻り又前記配管パイプを配管するためのダクト構が配備され、ダクトにより温風は通気層の間隙部に配送扇によって送風され、屋根裏通気層部に送風されて、排出口によって排出される。
【実施例】
【０００８】
本考案の実施の形態を実施例に基づき図面を参照して説明する。
【０００９】
図1に示すの様にストーブ１の放熱板上部に位置する集熱容器２は長方形の缶体の形態を成し、集熱容器２の内部に液体９を加熱する為の熱交換部３配備し、該熱交換部３の内側に間隙部を設け、熱交換する為の熱交換パイプ８を蛇行形状に形成し液体９を加熱する該熱交換部３で加熱された液体９はダクト１４の内側に配置される配管パイプ６によって給送循環され循環し、屋根裏通気層部１３に給送され先端まで配送され返送されて液体補充タンク４に戻り又液体補充タンク４には液体補給口５と液体水位計７が蓄えられる。
【００１０】
図２はストーブ１の放熱板上部設け、温熱を循環する集熱容器２に連接されるダクト１４を配置するための内側通気層１２を設け、ダクト１４に連接されて配送扇１０が配備され温風を送風し、屋根裏通気層部１３の間隙部に温風を送風し排出口１１によって排出される、
【００１１】
図２は上記ように構成された集熱容器２に連接されて成るダクト１４によって配送される液体９と温熱を循環し、加熱された液体９は内側通気層１２を連通し屋根裏通気層部１３の間隙部に連接する配管パイプ６が配置され、配管パイプ６を蛇行状に形成せしめ加熱された液体９が建物の屋根を加温する、液体９は転送循環し先端まで配送され返送されて液体補充タンク４に戻る。
【００１２】
図３はダクト１４に輸送用ポンプA１が配備され、核輸送用ポンプA１を境に下方に付く集熱容器２に連接されてダクト１４が配置し配送扇１０が配備される。
【００１３】
図３に記載されている輸送用ポンプA１は各部品はモーター軸、外套管、流動羽回動ブレ止板、流動フアン、の部品から構成されている。
【００１４】
図４は図１と同一の使用用途であり、図４の円筒形コイル形状に沿って形成された装置。  
【００１５】
図５は図４と同一の使用用途であり、円錐形コイル形状に沿って形成された装置。
【００１６】
図６はストーブ１に集熱容器２の基部を装着。
【図面の簡単な説明】
【００１７】
【図１】集熱容器２と内構造の断面図。
【図２】本考案の集熱容器２とダクト１４と温風の流れ示す家屋側面図。
【図３】輸送用ポンプの側面図。
【図４】円筒形コイル形状に沿って形成された内構造の断面図。
【図５】円錐形コイル形状に沿って形成された内構造の断面図。
【図６】暖房ストーブと集熱容器２の使用状態を示す図。
【符合の説明】
【００１８】
１   暖房ストーブ
２    集熱容器  
３    熱交換部
４    液体補充タンク
５    液体補充口
６    配管パイプ
７    液体水位計
８    熱交換パイプ
９    液体
１０  配送扇  
１１  排出口
１２  内側通気層
１３  屋根裏通気層部
１４  ダクト
A−１  輸送用ポンプ
A−２  上部フランジ
A−３  上部ナット
A−４  下部フランジ
A−５  下部ナット  
A−６  フランジ盤
A−７  バルブハンド
【図１】
0003102284.tif 000003
【図２】
0003102284.tif 000004
【図３】
0003102284.tif 000005
【図４】
0003102284.tif 000006
【図５】
0003102284.tif 000007
【図６】
0003102284.tif 000008